【手続補正書】
【提出日】平成19年10月2日(2007.10.2)
【手続補正１】
【補正対象書類名】特許請求の範囲
【補正対象項目名】全文
【補正方法】変更
【補正の内容】
【特許請求の範囲】
【請求項１】
ポリマーおよび少なくとも１個の末端アジド部分を含み、前記ポリマーが、ポリ（アルキレンオキシド）、ポリ（オキシエチル化ポリオール）、およびポリ（オレフィンアルコール）からなる群から選択される、水溶性化合物。
【請求項２】
ポリマーおよび少なくとも１個のアセチレン部分を含み、前記ポリマーが、ポリ（アルキレンオキシド）、ポリ（オキシエチル化ポリオール）、およびポリ（オレフィンアルコール）からなる群から選択される、水溶性化合物。
【請求項３】
前記ポリマーが、ポリ（エチレングリコール）、ポリ（プロピレングリコール）、ポリ（オキシエチル化グリセロール）、ポリ（オキシエチル化ソルビトール）、ポリ（オキシエチル化グルコース）、およびポリ（ビニルアルコール）からなる群から選択される、請求項１または２に記載の水溶性化合物。
【請求項４】
前記ポリマーが、ポリ（エチレングリコール）を含む、請求項３に記載の水溶性化合物。
【請求項５】
前記ポリマーがランダムまたはブロックコポリマーまたはターポリマーである、請求項１〜４のいずれか１項に記載の水溶性化合物。
【請求項６】
少なくとも１個の分枝分子構造のアームを含む、請求項１〜５のいずれか１項に記載の水溶性化合物。
【請求項７】
前記分枝分子構造が、樹状である、請求項６に記載の水溶性化合物。
【請求項８】
約１１以下のｐＨで、水性環境において安定である、請求項１〜７のいずれか１項に記載の水溶性化合物。
【請求項９】
ポリ（エチレングリコール）アジドを含み、アジド部分がポリマー骨格に共有結合的に直接結合している、請求項１に記載の水溶性化合物。
【請求項１０】
ポリ（エチレングリコール）アジドを含み、アジド部分がポリマー骨格に共有結合的にリンカーを介して結合している、請求項１に記載の水溶性化合物。
【請求項１１】
前記ポリマーが直鎖ポリマーを含み、アジド部分以外は置換されていない、請求項１に記載の水溶性化合物。
【請求項１２】
ａ）ポリマー骨格の少なくとも第１の末端に前記アジド部分；およびｂ）ポリマー骨格の第２の末端に少なくとも第２の官能基を含むダンベル構造を含み、第２の官能基は、前記アジド部分と同一または異なっていてよい、請求項１に記載の水溶性化合物。
【請求項１３】
前記第２の官能基が、アジド部分と反応性でない、請求項１２に記載の水溶性化合物。
【請求項１４】
前記アジド部分が、表面上または分子中の反応性部分と結合を形成する、請求項１に記載の水溶性化合物。
【請求項１５】
前記反応性部分が、アセチレン部分である、請求項１４に記載の水溶性化合物。
【請求項１６】
前記アジド部分が、リンカー部分を含む結合によって前記ポリマーに結合しており、前記ポリマーが、前記リンカー部分に結合する前記アジド部分以外の少なくとも第２の官能基を含む、請求項１に記載の水溶性化合物。
【請求項１７】
前記第２の官能基が、求核性置換に対して特異的であり、前記リンカー部分が前記官能基と反応可能な求核性部分を含む、請求項１６に記載の水溶性化合物。
【請求項１８】
前記第２の官能基が、アミン特異的であり、前記リンカー部分が活性アミン部分を含む、請求項１６に記載の水溶性化合物。
【請求項１９】
前記第２の官能基が、求電子性カルボニルにおける反応に対して特異的であり、前記リンカー部分が求電子性カルボニル部分を含む、請求項１６に記載の水溶性化合物。
【請求項２０】
前記第２の官能基が、活性化エステルとの反応に対して特異的であり、前記リンカー部分が活性化エステルを含む、請求項１６に記載の水溶性化合物。
【請求項２１】
前記第２の官能基が、ケトンとの反応に対して特異的であり、前記リンカー部分がケトンを含む、請求項１６に記載の水溶性化合物。
【請求項２２】
前記第２の官能基が、チオール求核剤との反応に対して特異的であり、前記リンカー部分がチオール求核剤を含む、請求項１６に記載の水溶性化合物。
【請求項２３】
前記第２の官能基が、ヒドロキシル求核剤との反応に対して特異的であり、前記リンカー部分がヒドロキシル求核剤を含む、請求項１６に記載の水溶性化合物。
【請求項２４】
前記リンカー部分が、
−ＮＨ−ＣＯ−ＣＨ２−ＣＨ２−；
−ＣＯ−ＮＨ−ＣＨ２−ＣＨ２−；
−Ｓ−ＣＨ２−ＣＨ２−；および
−Ｏ−ＣＨ２−ＣＨ２−
からなる群から選択される、請求項１６に記載の水溶性化合物。
【請求項２５】
前記アセチレン部分が、末端アセチレン基である、請求項２に記載の水溶性化合物。
【請求項２６】
ポリ（エチレングリコール）アセチレンであり、前記アセチレン部分が、ポリマー骨格に共有結合的に直接結合している、請求項２に記載の水溶性化合物。
【請求項２７】
前記ポリマーが、ポリ（エチレングリコール）アセチレンであり、アセチレン部分が、ポリマー骨格に共有結合的にリンカー部分を介して結合している、請求項２に記載の水溶性化合物。
【請求項２８】
前記ポリマーが、ポリ（エチレングリコール）アセチレンであり、前記アセチレン部分がポリマー骨格に共有結合的にエーテル結合を介して結合している、請求項２に記載の水溶性化合物。
【請求項２９】
前記ポリマーが、アセチレン部分以外は置換されていない直鎖ポリマーである、請求項２に記載の水溶性化合物。
【請求項３０】
ａ）ポリマー骨格の少なくとも第１の末端に前記アセチレン部分；およびｂ）ポリマー骨格の少なくとも第２の末端に少なくとも第２の官能基を含むダンベル構造を含み、第２の官能基は、前記アセチレン部分と同一または異なっていてよい、請求項２に記載の水溶性化合物。
【請求項３１】
前記第２の官能基が、アセチレン部分と反応性でない、請求項３０に記載の水溶性化合物。
【請求項３２】
前記アセチレン部分が、表面上または分子中の反応性部分と結合を形成する、請求項３０に記載の水溶性化合物。
【請求項３３】
前記反応性部分が、アセチレン部分である、請求項３０に記載の水溶性化合物。
【請求項３４】
前記アセチレン部分が、リンカー部分を含む結合によって前記ポリマーに結合しており、前記ポリマーが、前記リンカー部分に結合する前記アセチレン部分以外の少なくとも第２の官能基を含む、請求項２に記載の水溶性化合物。
【請求項３５】
前記第２の官能基が、求核性置換に対して特異的であり、前記リンカー部分が、かかる活性部分と反応可能な求核性部分を含む、請求項３０に記載の水溶性化合物。
【請求項３６】
前記第２の官能基が、アミン特異的であり、前記リンカー部分が、活性アミノ部分を含む、請求項３４に記載の水溶性化合物。
【請求項３７】
前記第２の官能基が、求電子性カルボニルにおける反応に対して特異的であり、前記リンカー部分が、求電子性カルボニル部分を含む、請求項３４に記載の水溶性化合物。
【請求項３８】
前記第２の官能基が、活性化エステルとの反応に対して特異的であり、前記リンカー部分が、活性化エステルを含む、請求項３４に記載の水溶性化合物。
【請求項３９】
前記第２の官能基が、ケトンとの反応に対して特異的であり、前記リンカー部分が、ケトンを含む、請求項３４に記載の水溶性化合物。
【請求項４０】
前記第２の官能基が、チオール求核剤との反応に対して特異的であり、前記リンカー部分が、チオール求核剤を含む、請求項３４に記載の水溶性化合物。
【請求項４１】
前記第２の官能基が、ヒドロキシル求核剤との反応に対して特異的であり、前記リンカー部分が、ヒドロキシル求核剤を含む、請求項３４に記載の水溶性化合物。
【請求項４２】
前記リンカー部分が、
−ＮＨ−ＣＯ−ＣＨ２−ＣＨ２−；および
−ＣＯ−ＮＨ−ＣＨ２−ＣＨ２−
からなる群から選択される、請求項３４に記載の水溶性化合物。
【請求項４３】
加水分解に対して安定であり、次式
Ｒ−ＣＨ２ＣＨ２−（ＯＣＨ２ＣＨ２）ｎ−Ｎ３［式中、ｎは約５から３０００であり、Ｒはアジドと同一または異なっていてよいキャッピング基、官能基、または脱離基である］
を有する水溶性活性化ポリマー。
【請求項４４】
加水分解に対して安定であり、次式
Ｒ−ＣＨ２ＣＨ２−（ＯＣＨ２ＣＨ２）ｎ−Ｃ≡ＣＨ［式中、ｎは約５から３０００であり、Ｒはアジドと同一または異なっていてよいキャッピング基、官能基、または脱離基である］を有する水溶性活性化ポリマー。
【請求項４５】
Ｒが、ヒドロキシル、保護ヒドロキシル、アルコキシル、Ｎ−ヒドロキシスクシンイミジルエステル、１−ベンゾトリアゾリルエステル、Ｎ−ヒドロキシスクシンイミジルカーボネート、１−ベンゾトリアゾリルカーボネート、アセタール、アルデヒド、アルデヒド水和物、アルケニル、アクリレート、メタクリレート、アクリルアミド、活性スルホン、アミン、アミノオキシ、保護アミン、ヒドラジド、保護ヒドラジド、保護チオール、カルボン酸、保護カルボン酸、イソシアナート、イソチオシアナート、マレイミド、ビニルスルホン、ジチオピリジン、ビニルピリジン、ヨードアセタミド、エポキシド、グリオキサール、ジオン、メシレート、トシレート、およびトレシレート、アルケン、およびケトンからなる群から選択される官能基である、請求項４３または４４に記載の水溶性活性化ポリマー。
【請求項４６】
ｎが、約５から２２００である、請求項４３または４４に記載の水溶性活性化ポリマー。
【請求項４７】
ｎが、約３４から１１００である、請求項４３または４４に記載の水溶性活性化ポリマー。
【請求項４８】
ｎが、約４５から１１０である、請求項４３または４４に記載の水溶性活性化ポリマー。
【請求項４９】
Ｒが、メトキシ（ＣＨ３Ｏ−）である、請求項４５に記載の水溶性活性化ポリマー。
【請求項５０】
Ｒが、カルボン酸（ＨＯ２Ｃ−）である、請求項４５に記載の水溶性活性化ポリマー。
【請求項５１】
Ｒが、アミン（Ｈ２Ｎ−）である、請求項４５に記載の水溶性活性化ポリマー。
【請求項５２】
Ｒが、マレイミドである、請求項４５に記載の水溶性活性化ポリマー。
【請求項５３】
Ｒが、アミンと反応性である、請求項４５〜５２のいずれか１項に記載の水溶性活性化ポリマー。
【請求項５４】
Ｒが、求電子性カルボニル基と反応性である、請求項４５〜５２のいずれか１項に記載の水溶性活性化ポリマー。
【請求項５５】
Ｒが、チオールと反応性である、請求項４５〜５２のいずれか１項に記載の水溶性活性化ポリマー。
【請求項５６】
Ｒが、ヒドロキシルと反応性である、請求項４５〜５２のいずれか１項に記載の水溶性活性化ポリマー。